【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
フォーム内容が予め印刷された印刷用紙に画像を重ねて印刷するオーバレイ印刷処理を管理するための情報を生成する情報処理装置であって、
前記オーバレイ印刷処理に関するデータを管理するサーバに登録するために、前記フォーム内容を示す第１画像データと、前記フォーム内容が予め印刷された印刷用紙に関連付けられている設定情報とを前記サーバに送信する第１送信手段と、
前記オーバレイ印刷処理の実行指示を受け付けた場合、前記オーバレイ印刷処理で使用する印刷用紙に重ねて印刷する画像の第２画像データを生成し、前記第２画像データを使用する前記オーバレイ印刷処理に対して指定された、前記第２画像データと印刷属性との関連付けを示す関連付け情報を生成し、前記第２画像データと前記関連付け情報を前記サーバに送信する第２送信手段と
を備えることを特徴とする情報処理装置。
【請求項２】
前記オーバレイ印刷処理を実行させるデバイスのデバイス情報を取得する取得手段と、
前記取得手段で取得したデバイス情報に基づいて、前記オーバレイ印刷処理に使用する印刷用紙に関する設定情報を設定する設定手段と
を更に備えることを特徴とする請求項１に記載の情報処理装置。
【請求項３】
前記印刷属性は、前記オーバレイ印刷処理を実行するデバイスのデバイス名、及び該デバイスの給紙部の給紙部名を含む情報を含む情報である
ことを特徴とする請求項１または２に記載の情報処理装置。
【請求項４】
前記第１画像データを生成する第１生成手段を更に備える
ことを特徴とする請求項１乃至３のいずれか１項に記載の情報処理装置。
【請求項５】
前記取得手段は、前記デバイス情報として、前記デバイスのデバイス名と、該デバイスの給紙部の給紙部名を含む情報を取得する
ことを特徴とする請求項２乃至４のいずれか１項に記載の情報処理装置。
【請求項６】
前記設定手段は、前記デバイスのデバイス名と、前記デバイスの給紙部の給紙部名と、前記給紙部に搭載する印刷用紙の種類を示す前記第１画像データに対応するフォーム名とを含む設定情報を設定する
ことを特徴とする請求項５に記載に情報処理装置。
【請求項７】
前記取得手段は、前記デバイス情報として、前記デバイスのデバイス名と、ユーザが使用可能な該デバイスの給紙部の給紙部名を含む情報を取得する
ことを特徴とする請求項２乃至６のいずれか１項に記載の情報処理装置。
【請求項８】
前記設定手段は、前記デバイスのユーザ別に、前記デバイスのデバイス名と、該デバイスの給紙部の給紙部名と、前記給紙部に搭載する印刷用紙の種類を示す前記第１画像データに対応するフォーム名とを含む設定情報を設定する
ことを特徴とする請求項７に記載の情報処理装置。
【請求項９】
前記デバイス名と前記フォーム名とを含む前記印刷属性を検索条件とする検索指示を前記サーバに送信することで、前記サーバで管理される前記設定情報及び前記関連付け情報と該印刷属性とに基づいて、該印刷属性に対応する第１画像データを検索する検索手段を更に備える
ことを特徴とする請求項６または８に記載の情報処理装置。
【請求項１０】
前記検索手段による検索履歴に基づいて、前記検索手段で検索された前記第１画像データと、前記関連付け情報で前記印刷属性に関連付けられている前記第２画像データとを合成するか否かを判定する判定手段と、
前記判定手段によって前記第１画像データと前記第２画像データとを合成すると判定した場合、該第１画像データと該第２画像データとを合成して第３画像データを生成する合成手段と、
前記合成手段によって生成された前記第３画像データを出力する出力手段と
を更に備えることを特徴とする請求項９に記載の情報処理装置。
【請求項１１】
前記デバイスは、
当該デバイスを使用可能なユーザのユーザ名と、前記ユーザが使用可能な当該デバイスの給紙部の給紙部名と、前記給紙部が交換された場合に実行する処理内容を含むデバイス設定情報を入力する入力手段と、
前記給紙部が交換された場合に、前記デバイス設定情報で設定されている処理内容が示す処理を実行する実行手段と
を備えることを特徴とする請求項１乃至１０のいずれか１項に記載の情報処理装置。
【請求項１２】
前記処理内容は、前記印刷用紙を搭載する給紙部の給紙部名を再登録して印刷処理を有効にする処理、あるいは一切の印刷処理を無効にする処理のどちらかである
ことを特徴とする請求項１１に記載の情報処理装置。
【請求項１３】
フォーム内容が予め印刷された印刷用紙に画像を重ねて印刷するオーバレイ印刷処理を管理するための情報を生成する情報処理装置の制御方法であって、
前記オーバレイ印刷処理に関するデータを管理するサーバに登録するために、前記フォーム内容を示す第１画像データと、前記フォーム内容が予め印刷された印刷用紙に関連付けられている設定情報とを前記サーバに送信する第１送信工程と、
前記オーバレイ印刷処理の実行指示を受け付けた場合、前記オーバレイ印刷処理で使用する印刷用紙に重ねて印刷する画像の第２画像データを生成し、前記第２画像データを使用する前記オーバレイ印刷処理に対して指定された、前記第２画像データと印刷属性との関連付けを示す関連付け情報を生成し、前記第２画像データと前記関連付け情報を前記サーバに送信する第２送信工程と
を備えることを特徴とする情報処理装置の制御方法。
【請求項１４】
フォーム内容が予め印刷された印刷用紙に画像を重ねて印刷するオーバレイ印刷処理を管理するための情報を生成する情報処理装置の制御をコンピュータに実行させるための、コンピュータ可読媒体に記憶されたコンピュータプログラムであって、
前記オーバレイ印刷処理に関するデータを管理するサーバに登録するために、前記フォーム内容を示す第１画像データと、前記フォーム内容が予め印刷された印刷用紙に関連付けられている設定情報とを前記サーバに送信する第１送信工程と、
前記オーバレイ印刷処理の実行指示を受け付けた場合、前記オーバレイ印刷処理で使用する印刷用紙に重ねて印刷する画像の第２画像データを生成し、前記第２画像データを使用する前記オーバレイ印刷処理に対して指定された、前記第２画像データと印刷属性との関連付けを示す関連付け情報を生成し、前記第２画像データと前記関連付け情報を前記サーバに送信する第２送信工程と
をコンピュータに実行させることを特徴とするコンピュータプログラム。
【請求項１５】
請求項１４に記載のコンピュータプログラムを記憶する記憶媒体。
【請求項１６】
フォーム内容が予め印刷された印刷用紙に画像を重ねて印刷するオーバレイ印刷処理を管理するための情報を生成する情報処理装置と、前記オーバレイ印刷処理に関するデータを管理するサーバとを備える情報処理システムであって、
前記情報処理装置は、
前記オーバレイ印刷処理に関するデータを管理するサーバに登録するために、前記フォーム内容を示す第１画像データと、前記フォーム内容が予め印刷された印刷用紙に関連付けられている設定情報とを前記サーバに送信する第１送信手段と、
前記オーバレイ印刷処理の実行指示を受け付けた場合、前記オーバレイ印刷処理で使用する印刷用紙に重ねて印刷する画像の第２画像データを生成し、前記第２画像データを使用する前記オーバレイ印刷処理に対して指定された、前記第２画像データと印刷属性との関連付けを示す関連付け情報を生成し、前記第２画像データと前記関連付け情報を前記サーバに送信する第２送信手段とを備え、
前記サーバは、
前記第１画像データと前記設定情報とを関連付けて登録する登録手段と
を備えることを特徴とする情報処理システム。
【請求項１７】
前記オーバレイ印刷処理を実行するデバイスを更に備える
ことを特徴とする請求項１６に記載の情報処理システム。
【請求項１８】
前記オーバレイ印刷処理を実行するデバイスは、画像形成装置である
ことを特徴とする請求項１７に記載の情報処理システム。